(57)【要約】本発明の目的は、選針位置のロック機能を、セレクトジャックの進退移動なしに実現することである。（ａ）に示すように、セレクトジャック２２の初期位置を不作用に対応するウェルト位置とし、（ｂ）に示すように、バット２２ａをキャリッジ３３のＢプレッサ２７によって押圧すると、ロック部材３０によるロック状態となる。ロック状態で、セレクトジャック２２は針溝３５内で沈み込み、編針のバットも針溝３５内に沈んで、キャリッジ３３に備えられる編成カムから離脱させる。選針アクチュエータ２５でニット位置やタック位置を選択すると、セレクタカム２４によってセレクタ２２が駆動され、先端部２２ｄがセレクトジャック２２の当接部２２ｅを押して、右方に移動させる。移動時には、ロック部材３０が引出され、ロック状態が解除される。
2004003275.tif 000002
【特許請求の範囲】
【請求項１】
複数の針溝を並設した横編機の針床に沿って走行するキャリッジの選択機構と連動して、各針溝内でキャリッジのカム機構の作用を受ける編針のバットに対し、キャリッジ側からの押圧で選択的にカム機構から離脱させることが可能なセレクトジャックを、不作用を含む複数の編成動作に対応して予め定められるポジションのいずれかを選択するように移動させるセレクタが各針溝に備えられる横編機の選針装置において、
該複数のポジションは、セレクトジャックの初期位置を不作用に対応させるように設定され、
各針溝内には、初期位置のセレクトジャックの予め定める近傍に間隔をあけて係止部が形成され、
各セレクトジャック毎に設けられ、初期位置でセレクトジャックがキャリッジ側から押圧されると、針溝の係止部との間の間隔に嵌合し、セレクトジャックの押圧状態を係止部との間で保持するとともに、セレクタによってセレクトジャックが不作用とは異なるポジション位置に移動するときは、該間隔から離脱してセレクトジャックの押圧状態の保持を解除するロック部材を含むことを特徴とする横編機の選針装置。
【請求項２】
前記各針溝内の係止部は、前記針床を針溝の並設方向に貫通し、前記セレクトジャックの前記キャリッジ側に当接してセレクトジャックを針溝内に留める貫通部材であり、
前記ロック部材はばね付勢されて、貫通部材とセレクトジャックのキャリッジ側との間隙に嵌合することを特徴とする請求項１記載の横編機の選針装置。
【請求項３】
前記セレクトジャックは、厚みが板厚方向の両側で薄くなる薄肉部を、前記初期位置で前記貫通部材に臨む近傍に有し、
前記ロック部材は、該薄肉部を厚み方向の両側から挟む二又状の係合部と、前記貫通部材とセレクトジャックのキャリッジ側との間隙に進入可能な嵌合部とを有し、
セレクトジャックの薄肉部とロック部材の係合部との間に設けられ、ロック部材が嵌合部を該間隙に進入させるように付勢するばねをさらに含むことを特徴とする請求項２記載の横編機の選針装置。
【請求項４】
前記セレクトジャックは、大略的にＵ字状で、開口部の間隔が狭くなる形状の溝部を、前記初期位置で前記貫通部材に臨む近傍に開口するように有し、
前記ロック部材は、該溝部内に挿入されて、溝部の両側から押圧され、前記貫通部材側に付勢される二又状の係合部と、前記貫通部材とセレクトジャックのキャリッジ側との間隙に進入可能な嵌合部とを有することを特徴とする請求項２記載の横編機の選針装置。
【請求項５】
前記各針溝内の係止部は、前記セレクトジャックの側方に形成される凹所であり、
前記ロック部材はセレクトジャックの側面に設けられ、側方に突出するように付勢されて該凹所に嵌り込んで、前記キャリッジ側への変位を阻止する先端部を有する板ばねであることを特徴とする請求項１記載の横編機の選針装置。
【請求項６】
前記キャリッジのカム機構は、前記複数の編成動作に先行して、前記バットが離脱していない編針を引込む機能を備えることを特徴とする請求項１〜５のいずれかに記載の横編機の選針装置。
【発明の詳細な説明】
【技術分野】  本発明は、横編機に設けられる編針を、異なる編成動作に対応させるように選択可能な横編機の選針装置に関する。
【背景技術】  従来から、横編機では、編針の編成動作として、ニット、タックおよびウェルト（ミス）の基本的な３位置を組合わせて、種々の変化組織を編成している。横編機は、長手方向に沿って複数の針溝を有する針床に沿ってキャリッジを往復走行させ、キャリッジに備えられるカム機構で各編針の編成動作を行わせる形式が一般的に用いられている。キャリッジは、編成動作を行う編針に編糸を供給する給糸部材を連行し、給糸部材による給糸位置に合わせるように、複数の編針に対して順次的に編成動作を行わせる。カム機構は、基本的にニット位置の編成動作に対応して形成されているので、タックやウェルトの位置に編針を選択するために、各針溝には選針装置が設けられている。
本件出願人は、特開平６−２００４５４号公報、特開平６−２２０７５２号公報、および特開平９−２４１９５２号公報などで選針機構を先に提案している。図１３は、特開平９−２４１９５２号公報で開示している選針機構の概略的な構成を示す。ただし、説明の便宜上、変更している部分がある。横編機１は、針床２の長手方向に沿って往復するキャリッジ３を備える。針床２の長手方向には、ニードルプレート４が所定の間隔で配列するように嵌合する溝が形成される。ニードルプレート４間には針溝５が形成され、編針６が摺動変位可能に配置される。横編機１では、長手方向が正面に平行となる針床２を少なくとも前後一対備え、各針床２は歯口７を挟んで対向している。ただし、説明の便宜上、図では他方を省略して、一方の針床２に関する構成のみを、側方から断面視して示す。また、編針６の摺動変位の方向は、歯口７側が高くなるように傾斜しているけれども、針床２は傾斜を省略して、編針６が水平に摺動変位するような姿勢で示す。キャリッジ３は、歯口７を跨ぐように、前後の針床２に設けられ、歯口７に沿って編糸を供給する給糸部材を連行する。
編針６は、横編機１の側方から見て、各針溝５内で、歯口７側を前部、歯口７の反対側を後部とするとき、前半部分である針本体８と、後半部分であるニードルジャック９とを含む。針本体８の前端には、編糸の供給を受けて編成を行うためのフックなどが設けられる。ニードルジャック９には、編針６を針溝５内で前進または後退させるための駆動用のバット９ａが設けられる。ニードルジャック９は、針溝５内に、バット９ａがキャリッジ３側に突出するように、弾性的に付勢されるような屈曲形状を有する。バット９ａがキャリッジ３側に突出していると、キャリッジ３に設けられている編成カム１０による作用を受け、編針６を針溝５内で歯口７に対して進退するように移動させることができる。
編針６に対する編成カム１０の作用を、各編針６毎に制御するために、選針装置１１が設けられる。選針装置１１は、セレクトジャック１２とセレクタ１３とを含む。セレクトジャック１２は、ニードルジャック９の後部のキャリッジ３側に配置され、バット１２ａがキャリッジ３側に突出する。セレクトジャック１２の位置は、バット１２ａの位置がＢポジション、ＨポジションまたはＡポジションのうちのいずれかとなるように、セレクタ１３によって選択される。セレクタ１３は、キャリッジ３側突出するバット１３ａ，１３ｂ，１３ｃを有し、キャリッジ３に設けられるセレクタカム１４による作用を受けて針溝５内で移動する。セレクタ１３が前方に移動するとき、先端部１３ｄでセレクトジャック１２を押して、セレクトジャック１２を前進させる。セレクトジャック１２の前進位置は、キャリッジ３側に、セレクタカム１４ととともにセレクタ１３の後半部を挟むように配置される選針アクチュエータ１５の作用で選択される。
セレクタ１３は、針溝５内で、後半部の選針アクチュエータ１５に臨む側に形成される接極部１３ｅが選針アクチュエータ１５から離反するように、弾性的に付勢される屈曲した形状を有する。セレクタカム１４が後方のバット１３ｃを押圧すると、接極部１３ｅが選針アクチュエータ１５に接触して磁気的に吸着される。選針アクチュエータ１５には、通電によって各編針６毎に吸着状態を解除して選針を行うことができる解除箇所が、たとえば２箇所設けられている。セレクタカム１４には、セレクタ１３の接極部１３ｅに対する吸着が解除されて、バット１３ｂがキャリッジ３側に突出すると、セレクタ１３を前進させるカム溝が、各解除箇所に対応して設けられている。キャリッジ３の走行に伴って先行する側の解除箇所で接極部１３ｅの吸着を解除すると、セレクタ１３はニットの編成に対応する位置（Ａポジション）に前進する。後行側の解除箇所で吸着を解除すると、セレクタ１３はタックの編成に対応する位置（Ｈポジション）に前進する。いずれの解除箇所でも吸着の解除を行わないと、ウェルトの編成に対応する位置（Ｂポジション）を保つ。
セレクトジャック１２は、セレクタ１３の先端部１３ｄによって押されて針溝５内を前進する。各位置のセレクトジャック１２のバット１２ａに対しては、キャリッジ３側に設けられるＢプレッサ１６やＨプレッサ１７による押圧作用がなされる。押圧作用は、バット１２ａを押下げて、セレクトジャック１２を針溝５内に沈めることによって、ニードルジャック９を針溝５内で押下げ、バット９ａを編成カム１０から離脱させる。Ｂプレッサ１６は、編成動作に対する不作用位置としてのウェルト位置（Ｂポジション）に対応して設けられ、バット９ａがほとんど全行程で編成カム１０から離脱するように作用する。Ｈプレッサ１７は、タック位置（Ｈポジション）に対応して設けられ、針本体８が歯口７に途中まで進出するまでバット９ａが編成カム１０の作用を受けてから離脱するように、バット１２ａを押下げる。ニット位置（Ａポジション）にはプレッサを設けずに、編針６に編成カム１０による作用を全行程で受けさせる。
針溝５内でのセレクトジャック１２の摺動変位の範囲を規制するために、針床２の長手方向に沿って針溝５を貫通するワイヤ１８，１９が設けられている。セレクトジャック１２の各位置を保持するため、後方のワイヤ１９を挟む二又部の内側に、ワイヤ１９に係合する凹部１２ｂ，１２ｃ，１２ｄが設けられている。なお、編成カム１０による編成動作の終了後には、セレクトジャック１２をたとえばウェルト位置である初期位置まで後退させるように、バット１２ａに作用するガイドカムがセレクタカム１４に設けられている。
特開平６−２２０７５２号公報には、前述のようなＡ，Ｈ，Ｂの３ポジションの選針が可能で、セレクトジャックをセレクタで押上げてＡポジションに前進させ、キャリッジに設けるセレクトジャックプレッサによる押圧が解除されても、セレクトジャックのバットが押下げられた状態を保つように、ロックさせることができる３ポジション・ロック方式の選針装置が開示されている。特開平６−２００４５４号公報には、セレクトジャックで不作用のウェルト位置とタック位置とをＢポジションで共通化し、選針アクチュエータを作用させるタイミングが先行するＢポジションでロックする２ポジション・ロック方式の選針装置が開示されている。ウェルト位置でのロックによって、キャリッジの進行中にニードルジャックのバットが編成カムと係合することがなくなるため、バットや編成カムの摩擦損傷等の発生を少なくし、かつ、キャリッジの移動に伴う摺動抵抗を減少させて動力費を低減することができる。
図１３に示すようなキャリッジ３の編成カム１０で編針６の編成動作を行わせる横編機では、前述のようなロック機構を設けることによって、摩擦損傷等の発生防止や動力費低減の効果が期待される。さらに、基本的な編成動作の他に、たとえば本件出願人が国際公開番号ＷＯ０１／３６７３０号公報で開示しているような、新たな編目編成を行う前に、シンカー装置と連動して、編目ループを引締める動作を行う際に効果が期待される。この動作では、新たな編目形成を行う前に、シンカーの先端の編目係止フックを、編目を押える位置から上昇させて、編目を編目係止フックからいったん解放する。その状態で、編針を歯口から後退させる下降位置にセットされている先行側の度山で、編針を歯口から後退させて、編目を引締める。そして再度シンカーの先端を下降させて、編目を編目係止フックで喰わえ込ませる。このような編目形成に先行する動作によって、既に形成されている編目を、シンカーで確実に押えることができるので、後続する編目ループの形成を無事に行うことができる。
このような「先行引き込み」機能では、キャリッジ３の移動方向に対して、編成システムの先行側の度山で「先行引き込み」が行われる。この際、先行する編目ループの編成で不作用のウェルト位置が選択されている編針６のセレクトジャック１２のバット１２ａも、Ｂプレッサ１６による押圧から開放される。この結果、ニードルジャック９のバット９ａも針溝５から浮上し、続く先行側の度山の作用を受けて引下げられる。このように、編目形成を行わなかった編針６が「先行引き込み」の際に引込まれることは好ましいことではない。不作用のはずのＢポジションの編針６の上をキャリッジ３の編成システムが通過するたびに編糸が編針でしごかれることになり、糸痩せや糸切れの原因になるなど、編成上、編糸に対して好ましくない影響を与えてしまうからである。
このような「先行引き込み」に伴う問題の対策としても、ウェルト位置でセレクトジャックを沈んだ状態にロックすることが有効となる。しかしながら、特開平６−２００４５４号公報や特開平６−２２０７５２号公報で開示しているようなロック機能では、セレクタの進退動作を必須としている。その制御のためにプレッサ等を必要とするので、キャリッジに複数の編成システムを搭載する場合には編成システム間の間隔が大きくなり、キャリッジが大型化してしまう問題も生じる。
他の対策として、編目ループを引締める動作などを行う際にも、編目ループを引締める動作などを行う位置に合わせて、セレクトジャックのウェルト位置のバットを押下げるＢプレッサを幅広く延ばして設けるようにしておけば、不要な編針の引下げ動作を避けることができる。しかし、セレクトジャックは、各編成システムでの編目ループ形成に先立ち、Ｂポジションの初期位置まで戻される。このため、複数の編成システムを搭載するキャリッジでは、後行の編成システムによる編成の開始時に、ＢポジションからＨポジションに選択される編針に対応するセレクトジャックのバットも、Ｈポジションに進出するまではＢプレッサに押圧されてしまうことになり、この押圧された状態で先行引き込み用の度山カムに達すると、先行引き込みができなくなる不具合が発生する。このため、カムが必要とするキャリッジの移動方向の長さが増大し、隣接する編成システム間の間隔を大きくしなければならないことになり、キャリッジの形状が大きくなってしまう。
【発明の開示】
本発明の目的は、選針位置のロック機構を改良し、セレクタの進退動作を行わないでも選針位置をロックすることができる横編機の選針装置を提供することである。
本発明は、複数の針溝を並設した横編機の針床に沿って走行するキャリッジの選択機構と連動して、各針溝内でキャリッジのカム機構の作用を受ける編針のバットに対し、キャリッジ側からの押圧で選択的にカム機構から離脱させることが可能なセレクトジャックを、不作用を含む複数の編成動作に対応して予め定められるポジションのいずれかを選択するように移動させるセレクタが各針溝に備えられる横編機の選針装置において、
該複数のポジションは、セレクトジャックの初期位置を不作用に対応させるように設定され、
各針溝内には、初期位置のセレクトジャックの予め定める近傍に間隔をあけて係止部が形成され、
各セレクトジャック毎に設けられ、初期位置でセレクトジャックがキャリッジ側から押圧されると、針溝の係止部との間の間隔に嵌合し、セレクトジャックの押圧状態を係止部との間で保持するとともに、セレクタによってセレクトジャックが不作用とは異なるポジション位置に移動するときは、該間隔から離脱してセレクトジャックの押圧状態の保持を解除するロック部材を含むことを特徴とする横編機の選針装置である。
また本発明で、前記各針溝内の係止部は、前記針床を針溝の並設方向に貫通し、前記セレクトジャックの前記キャリッジ側に当接してセレクトジャックを針溝内に留める貫通部材であり、
前記ロック部材はばね付勢されて、貫通部材とセレクトジャックのキャリッジ側との間隙に嵌合することを特徴とする。
また本発明で、前記セレクトジャックは、厚みが板厚方向の両側で薄くなる薄肉部を、前記初期位置で前記貫通部材に臨む近傍に有し、
前記ロック部材は、該薄肉部を厚み方向の両側から挟む二又状の係合部と、前記貫通部材とセレクトジャックのキャリッジ側との間隙に進入可能な嵌合部とを有し、
セレクトジャックの薄肉部とロック部材の係合部との間に設けられ、ロック部材が嵌合部を該間隙に進入させるように付勢するばねをさらに含むことを特徴とする。
また本発明で、前記セレクトジャックは、大略的にＵ字状で、開口部の間隔が狭くなる形状の溝部を、前記初期位置で前記貫通部材に臨む近傍に開口するように有し、
前記ロック部材は、該溝部内に挿入されて、溝部の両側から押圧され、前記貫通部材側に付勢される二又状の係合部と、前記貫通部材とセレクトジャックのキャリッジ側との間隙に進入可能な嵌合部とを有することを特徴とする。
また本発明で、前記各針溝内の係止部は、前記セレクトジャックの側方に形成される溝であり、
前記ロック部材はセレクトジャックの側面に設けられ、側方に突出するように付勢されて該凹所に嵌り込んで、前記キャリッジ側への変位を阻止する先端部を有する板ばねであることを特徴とする。
また本発明で、前記キャリッジのカム機構は、前記複数の編成動作に先行して、前記バットが離脱していない編針を引込む機能を備えることを特徴とする。
【図面の簡単な説明】  本発明の目的、特色、および利点は、下記の詳細な説明と図面とからより明確になるであろう。
図１は、本発明の実施の第１形態である横編機２０に備えられる選針装置２１で、セレクトジャック２２が不作用のウェルト位置を初期位置としている非押圧状態と、セレクトジャック２２がウェルト位置での押圧状態をロックされている状態とを示す側面断面図である。
図２は、図１の選針装置２１を備える針床３２の全体的な構成を示す側面断面図である。
図３は、図２のキャリッジ３３でのカム配置を示す平面図である。
図４は、図１に対応して、針床３２全体の制御状態を示す側面断面図である。
図５は、図１の選針装置２１で、セレクタカム２４によってセレクタ２３およびセレクトジャック２２がタック位置に選択されているときの非押圧時を示す側面断面図である。
図６は、図１のキャリッジ３３で、編成システム間の間隔の増大が横編機２０に与える影響を簡略化して示す模式的な正面図である。
図７は、図１のロック部材３０の形状を拡大して示す平面図および側面図である。
図８は、図１のロック部材３０を装着可能なセレクトジャック２２の薄肉部２２ｆの形状および構成を、拡大して部分的に示す平面図および側面図である。
図９は、本発明の実施の第２形態である選針装置７１で、セレクトジャック７２が不作用のウェルト位置を初期位置としている非押圧状態と、セレクトジャック７２がウェルト位置での押圧状態をロックされている状態とを示す側面断面図である。
図１０は、図９のロック部材７５の側面図、および溝部７２ｅ付近のセレクトジャック７２の部分的な側面図である。
図１１は、本発明の実施の第３形態である選針装置８１で、セレクトジャック８２が不作用のウェルト位置を初期位置としている非押圧状態と、セレクトジャック８２がウェルト位置での押圧状態をロックされている状態とを示す側面断面図である。
図１２は、図１１の板ばね８８の形状を示す平面図および側面図である。
図１３は、従来からの横編機で針床に備えられる選針装置２１の構成を示す側面断面図である。
【発明を実施するための最良の形態】  以下図面を参考にして本発明の好適な実施例を詳細に説明する。
以下、図１〜図１２を参照して、本発明の実施の形態を説明する。本発明の実施の形態について先に説明してある部分、および図１３で従来技術について説明してある部分と対応して、同一の名称を有する機構、部材および部分等は、異なる参照符号を付している場合であっても、基本的に同等の機能や構成を有し、重複する説明は省略することがある。また、針床の姿勢や、歯口を基準とする前後方向の決め方は図１３と同等とする。各実施形態で、Ａがニット、Ｈがタック、Ｂがウェルト（ミス）にそれぞれ対応するポジションを示す。
図１は、本発明の実施の第１形態である横編機の選針装置の概略的な断面構成を示す。本実施形態では、横編機２０に備えられる選針装置２１で、セレクトジャック２２を編成動作が不作用の初期位置の押圧状態を保持するようにロックすることができる。図１（ａ）はセレクトジャック２２が不作用のウェルト位置を初期位置としている非押圧状態を示し、図１（ｂ）はセレクトジャック２２の押圧状態を示す。選針装置２１は、セレクトジャック２２を移動させるセレクタ２３を有する。セレクタ２３は、複数のバット２３ａ，２３ｂ，２３ｃを有し、セレクタカム２４がバット２３ａ，２３ｂ，２３ｃに作用して、セレクタ２３を駆動することができる。セレクタ２３の先端部２３ｄは、セレクトジャック２２に当接して、セレクトジャック２２を前進させることができる。セレクタ２３の後端側には、接極部２３ｅが形成され、セレクタカム２４がバット２３ｃを押圧すると、選針アクチュエータ２５に当接して、磁気的に吸引される。
セレクトジャック２２のバット２２ａは、ガイドカム２６による案内作用も受けて、初期位置と異なる位置に進出している状態から初期位置であるＢポジションに戻される。セレクトジャック２２の初期位置は、ウェルト位置であり、編糸を編成しないミスの編成動作が選択される。初期位置では、バット２２ａは、Ｂプレッサ２７による押圧を受ける。セレクトジャック２２の変位を規制するために、ワイヤ２８，２９を利用する。ワイヤ２９は、セレクトジャック２２の後半側の二又部に挟持され、凹部２２ｂ，２２ｃ，２２ｄと係合して、ニット位置、タック位置およびウェルト位置の位置決めをそれぞれ行う。
本実施形態では、セレクトジャック２２にロック部材３０を付加し、図１（ｂ）に示す初期位置としてのウェルト位置で、Ｂプレッサ２７がセレクトジャック２２のバット２２ａを押圧すると、セレクトジャック２２とワイヤ２８との間に形成される間隙に進入する。ロック部材３０は、ばね３１によって付勢される。セレクトジャック２２は、図１（ａ）に示すようなバット２２ａへの押圧を受けない状態でも、図１（ｂ）に示すようなバット２２ａへの押圧を受ける状態でも、セレクタ２３の先端部２３ｄが当接可能な当接部２２ｅが形成される。ロック部材３０は、セレクトジャック２２のバット２２ａから当接部２２ｅにかけて形成される薄肉部２２ｆに装着される。ロック部材３０や薄肉部２２ｆに関連する構成については、図８および図９に関連して後述する。
図１（ｂ）に示すようなロック状態は、セレクタカム２４によってセレクタ２３を駆動して、セレクトジャック２２をタック位置やニット位置に移動させると、ロック部材３０がワイヤ２８とセレクトジャック２２との間隙から引出されて解除される。セレクトジャック２２は、押圧状態で押さえつけているニードルジャックから受ける弾性力でワイヤ２８によって規制されるまで浮上がり、バット２２ａがタック位置のプレッサからの押圧を受けたり、ガイドカム２６による駆動を受けたりすることが可能な状態になる。ガイドカム２６は、バット２２ａを後退させて、セレクトジャック２２を初期位置に戻す。セレクトジャック２２が後退するときは、セレクトジャック２２の浮上がりをワイヤ２８が当接して規制しているので、ワイヤ２８とセレクトジャック２２との間に隙間がなく、ロック部材３０が進入することはできない。このため、図１（ａ）に示すように、ロック部材３０は、ワイヤ２８によって前方へ押圧され、ばね３０が圧縮され、セレクトジャック２２の薄肉部２２ｆ側に押しつけられている状態となる。
以上のような選針装置２１は、横編機２０の針床３２に設けられ、キャリッジ３３に備えられるセレクタカム２４や選針アクチュエータ２５によって駆動や制御を受ける。セレクトジャック２２やセレクタ２３は、針床３２に並設されるニードルプレート３４間に形成される針溝３５内に収容され、金属板材から一定の外形を切出した形状を有する。ワイヤ２８，２９は、ニードルプレート３４を針床３２の長手方向に貫通するピアノ線などの貫通部材である。貫通部材として、帯金などを使用することもできる。セレクトジャック２２が押圧状態やロック状態で針溝３５内に沈むと、先端で編針３６を針溝３５内に押下げ、編成作用を受けないように制御する。
図２は、図１の選針装置２１を含む横編機２０の針床３２の全体的な構成を示す。図１３と同様に、針床３２は、歯口３７で対向している一方のみについて示す。編針３６は、針本体３８の前端にフックおよびラッチを有するべら針であり、ニードルジャック３９のバット３９ａにキャリッジ３３側から編成カム４０を作用させて、編成運動を行わせる。選針装置２１は、セレクトジャック２２のバット２２ａをキャリッジ３３側のＢプレッサ２７などから押圧させ、セレクトジャック２２によってニードルジャック３９を針溝３５内に沈め、バット３９ａを編成カム４０から離脱させる動作を選択的に行う。編針３６としては、目移しの機能を有するものや、複合針などを用いることもできる。
針床３２の歯口３７側の先端付近には、編目が編成された後で編糸を押下げるシンカー装置４１が設けられている。シンカー装置４１は、可動シンカー４２がばね付勢されて、歯口３７に進出する先端の編糸係止フック４２ａで編糸を押下げる。可動シンカー４２の駆動は、シンカージャック４３のバット４３ａをキャリッジ３３に設けるシンカー制御カム４４で案内して行われる。このような可動シンカーを備える横編機のシンカー装置の構成や作用について、本件出願人は、特公平５−８３６５７号公報などで開示している。本実施形態では、国際公開番号ＷＯ０１／３６７３０号公報で開示しているような、編目の編成に先行して編針３６を引き込み、編目を引締める動作を行うために、可動シンカー４２の編糸係止フック４２ａもいったん歯口３７から引上げさせる動作を行うことも可能である。
図３は、図２に示すキャリッジ３３で、針床３２に対向している面に配置されている編成システムのカム搭載面でのカム配置を、図２の歯口３７側が上方となるように表示して示す。前述のようにキャリッジ３３には、編成カム４０、セレクタカム２４およびシンカー制御カム４４と、Ｂプレッサ２７が設けられる。セレクトジャック２２がタック位置に前進しているときのバット２２ａの位置であるＨポジションには、Ｈプレッサ４５が設けられる。図２に示すように、選針アクチュエータ２５は、キャリッジ３３のカム搭載面ではなく、この面と対向して、中間にセレクタ２３の接極部２３ｅを吸着しうる位置にあるけれども、説明の便宜上、対応する位置に仮想線で示す。本実施形態のキャリッジ３３には、複数の編成システムが搭載され、図には、キャリッジ３３が矢符４６として示すように、図の左から右に移動する場合の先行システム４７と後行システム４８とを示す。なお、編針３６として、目移しの機能を有するものや、複合針などを用いる場合は、その制御のためのカムが追加される。また、初期位置を不作用のウェルト位置としてロック可能にする限り、カムやプレッサを変更して、他の位置で編針３６が選択しうる編成作用の数や種類を変更することもできる。
編成カム４０は、編針３６を歯口３７に進出させるニードルレイジングカム５０と、編針３６の進出状態を規制する天山５１と、編針３６を引込むステッチカム５２，５３等を有する。ステッチカム５２，５３は、ニードルレイジングカム５０の傾斜カム面と対向しながら、傾斜カム面の傾斜方向に変位可能であり、その変位量に応じて、編目の度目を決める。度目を決めるのは、ニードルレイジングカム５０に対して後行側となるステッチカム５３のニードルレイジングカム５０と対向している傾斜カム面である。前述のような編目の編成に先行して編針３６を引き込み、編目を引締める動作は、先行側となるステッチカム５２で、ニードルレイジングカム５０と対向している傾斜カム面よりも先行側となる傾斜カム面である。この傾斜カム面には、ガイドカム２６の上半部のカム面が対向している。
以下、後行システム４８について説明するけれども、ウェルト位置での動作を除いて、先行システム４７でも同様な動作が行われる。ニードルジャック３９のバット３９ａは、針溝３５からキャリッジ３３側に突出しているニット位置では、破線で示すような軌跡で、ステッチカム５２，５３および天山５１に設けられるカム面と、ニードルレイジングカム５０およびガイドカム２６に設けられるカム面との間に形成されるカム溝内を案内される。セレクトジャック２２のバット２２ａがタック位置であるＨポジションになると、バット２２ａがＨプレッサ４５から押圧される期間はニードルジャック３９のバット３９ａが編成カム４０から離れ、バット３９ａは点線で示すような軌跡をとり、ニードルレイジングカム５０による作用を途中までしか受けない。
セレクトジャック２２のバット２２ａがＢプレッサ２７による押圧を受けるウェルト位置では、先行システム４７でロック状態になっていれば、一点鎖線のような軌跡をバット３９ａが通る。本発明を適用しないときは二点鎖線のような軌跡をバット３９ａが通る。先行システム４７側でも、先行する編成動作でロック状態となっていれば、一点鎖線のようなバット３９ａの軌跡となる。すなわち、ロック状態となっていれば、次の編成システムでウェルト位置の選択が継続される限り、セレクトジャック３９のバット３９ａは針溝３５内に沈んでいる状態を続け、編成カム４０のカム溝と係合しない。このため、いったんロック状態となれば、ウェルト位置とは異なる位置が選択されるまで、ウェルト位置の編針３６が先行側のステッチカム５２による引き込み動作を受けないようにすることができる。
ガイドカム２６の下半部の先行側は、セレクトジャック２２のバット２２ａに対するカム面として機能し、セレクトジャック２２が初期位置であるウェルト位置とは異なるニット位置やタック位置にあれば、初期位置まで強制的に案内する。ガイドカム２６が下端までバット２２ａを案内する位置は、Ｂプレッサ２７でバット２２ａを押圧する位置に合わせる必要がある。Ｂプレッサ２７やＨプレッサ４５は、バット２２ａに対して、ニードルジャック３９のバット３９ａを針溝３５内に沈めるために必要な押圧量を得るために、カムの配置面から針床３２側に突出して平坦な押圧面２７ａ，４５ａを有している。バット２２ａの頂部をＢプレッサ２７やＨプレッサ４５の押圧面まで円滑に導くため、押圧面２７ａ，４５ａの先行側および後行側には、斜線を施して示す傾斜面２７ｂ，２７ｃ；４５ｂ，４５ｃがそれぞれ設けられている。
セレクタ２３のバット２３ａ，２３ｂ，２３ｃに作用するセレクタカム２４には、セレクタガイドカム６０とセレクタガイドカム６１とが含まれる。セレクタカム２４は、先行システム４７の先行側と、先行システム４７と後行システム４８との間と、後行システム４８の後行側とにそれぞれ設けられている。すなわち、各編成システム間と、前後とに設けられる。編成システム間に設けられるセレクタカム２４は先行側と後行側とが対称であり、前後に設けられるセレクタカム２４では編成システムが存在している内部側でバット２３ａ，２３ｂ，２３ｃに対する作用を行う。
セレクタガイドカム６０の下方には、Ａポジション用カム溝６２およびＨポジション用カム溝６３が形成されている。セレクタガイドカム６１は、セレクトジャック２３のバット２３ｂを案内して、初期位置に戻す。セレクトジャック２３は、初期位置で、接極部２３ｅが選針アクチュエータ２５によって、磁気的に吸引され、バット２３ｃがセレクタガイドカム６０から離脱している。選針アクチュエータ２５には、磁気的な吸引を解除するためのコイル磁極２５ａ，２５ｂが中心に対して対称となるように設けられている。
キャリッジ３３が矢符４６の方向に移動する際には先行側となるコイル磁極２５ａに通電すると、バット２３ｃがＡポジション用カム溝６２と係合し、破線で示すような軌跡でバット２３ｃを案内し、セレクタ２３を前進させて、セレクトジャック２２をニット位置まで移動させる。先行側となるコイル磁極２５ａでは通電しないで、後行側となるコイル磁極２５ｂで通電すると、バット２３ｃがＨポジション用カム溝６３と係合し、点線で示すような軌跡でバット２３ｃを案内し、セレクタ２３を前進させて、セレクトジャック２２をタック位置まで移動させる。セレクトジャック２２がタック位置に移動すると、バット２２ａはＨプレッサ４５によって押圧されるようになる。
シンカー制御カム４４は、編成中の編糸給糸時と前述の先行引き込み時に編糸係止フック４２ａを歯口３７から上昇させるための上昇カム６５と、上昇した編糸係止フック４２ａを歯口３７に下降させるための下降カム６６と、編成動作終了後に編糸係止フック４２ａを歯口３７に下降させる下降カム６７とを含む。シンカージャック４３のバット４３ａは、上昇カム６５、下降カム６６および下降カム６７の相互間に形成されるカム溝に案内され、矢符４６方向の走行では二点鎖線で示すような軌跡に従って変位する。
図４は、図１に示す選針装置２１で、（ａ）と（ｂ）とに示す初期位置のセレクトジャック２２に対応する非押圧時と押圧時との制御状態を、針床３２の全体に対してそれぞれ示す。図４（ａ）に示す非押圧時では、ニードルジャック３９のバット３９ａが突出して、編成カム４０による駆動を受けてしまう。図４（ｂ）に示す押圧時では、バット３９ａが針溝３５内に沈み込み、編成カム４０による駆動を受けない。本実施形態では、ロック部材３０によるロック状態が保持されるので、セレクトジャック２２のバット２２ａに対する押圧が解除されても、ニードルジャック３９のバット３９ａが針溝３５内に沈み込む状態を継続することができる。
図５は、図１の選針装置２１で、セレクタカム２４によってセレクタ２３およびセレクトジャック２２がタック位置（Ｈポジション）に選択されている状態を示す。セレクタ２３のバット２３ｃは、セレクタガイドカム６０のＨポジション用カム溝６３に係合するように、選針アクチュエータ２５が選択的に駆動される。セレクトジャック２２のバット２２ａをキャリッジ３３側から押圧しても、ロック部材３０はワイヤ２８から離れており、ワイヤ２８とセレクトジャック２２との間に形成される間隙に進入することはできず、ロック状態とはならない。
図６は、編成システム間の間隔の増大が横編機２０に与える影響を簡略化して示す。図６（ａ）は本実施形態を示し、図６（ｂ）はロック機能を設けずに編成システム間隔を広げた形態を示す。すなわち、図６（ａ）のキャリッジ３３に対して、図６（ｂ）に示すキャリッジ３３’は、先行システム４７と後行システム４８との間隔ｄよりも、大きい間隔ｄ’を必要する。このため、キャリッジ３３’としての長さＬ’もキャリッジ３３の長さＬよりも大きくなる。キャリッジ３３，３３’が同一の編幅Ｗの編地７０を編成する場合、図６（ａ）ではＷ＋２Ｌの範囲をキャリッジ３３が移動し、図６（ｂ）ではＷ＋２Ｌ’の範囲をキャリッジ３３’が移動する。本実施形態のキャリッジ３３では、ウェルト位置でセレクトジャック２２をロックして編針３６のバット３９ａを針溝３５に沈めておくことができるので、キャリッジ３３をコンパクト化して、軽量化やコスト削減、さらには動力費の低減も図ることができる。不要な先行引き込みなど、バット３９ａへの不要な作用を減少させることができるので、編糸やバット３９ａなどに与える好ましくない影響も低減することができる。
図７は、図１のロック部材３０の形状を拡大して示す。図７（ａ）は、図１の上方から見た平面視状態、図７（ｂ）は図１の正面から見た側面視状態をそれぞれ示す。ロック部材３０は、セレクトジャック２２と同様な厚さの金属等の弾性材料の板材で形成され、二又状の係合部３０ａと、嵌合部３０ｂとを有する。嵌合部３０ｂは、ウェルト位置のセレクトジャック２２が押圧されて、ワイヤ２８とセレクトジャック２２のキャリッジ３３側との間に生じる間隙に進入可能である。係合部３０ａから嵌合部３０に移行する中間の位置には、係止部３０ｃが形成されている。
図８は、ロック部材３０を装着可能なセレクトジャック２２の薄肉部２２ｆの形状および構成を拡大して部分的に示す。図８（ａ）は図７（ａ）に対応する平面視状態、図８（ｂ）は図７（ｂ）に対応する側面視状態をそれぞれ示す。セレクトジャック２２は、厚みが板厚方向の両側で薄くなる薄肉部２２ｆを、初期位置でワイヤ２８などの貫通部材に臨む近傍に有する。薄肉部２２ｆのワイヤ２８側には、図７に示す係止部３０ｃが係止される切欠部２２ｇが形成される。薄肉部２２ｆの中心には、ばね３１を収容可能な凹所２２ｈが形成される。薄肉部２２ｆおよび切欠部２２ｇは、ロック部材３０を装着して、ロック部材３０が図１（ａ）に示すようにばね３１を圧縮して前方側に押しつけられている状態と、図１（ｂ）に示すようにばね３１の付勢で後方側に突出するロック状態との間の変位が可能なように形成される。
図９は、本発明の実施の第２形態である横編機の選針装置の概略的な断面構成を示す。本実施形態の選針装置７１でも、セレクトジャック７２を編成動作が不作用の初期位置の押圧状態を保持するようにロックすることができる。図９（ａ）はセレクトジャック７２がウェルト位置となる初期位置にある非押圧状態を示し、図９（ｂ）はセレクトジャック７２の押圧状態を示す。選針装置７１は、セレクトジャック７２を移動させるセレクタ７３を有する。セレクタ７３は、複数のバット７３ａ，７３ｂ，７３ｃを有し、セレクタカム２４がバット７３ａ，７３ｂ，７３ｃに作用してセレクタを駆動する動作は、基本的に図１の選針装置２１と同様である。セレクタ７３の先端部７３ｄは、セレクトジャック７２のバット７２ａに当接して、セレクトジャック７２を前進させることができる。セレクタ７３の後端側には、接極部７３ｅが形成され、セレクタカム２４がバット７３ｃを押圧すると、選針アクチュエータ２５に当接して、磁気的に吸引される。セレクトジャック７２がワイヤ２９と係合して位置決めを行う凹部７２ｂ，７２ｃ，７２ｄを有することも、図１の選針装置２１と同様である。
本実施形態のセレクトジャック７２は、初期位置でワイヤ２８に臨む先端付近に、溝部７２ｅを有する。溝部７２ｅ内にはロック部材７５が挿入され、溝部７２ｅ内で前後方向に移動可能である。ロック部材７５は弾性を有する金属などの板材から形成され、溝部７２ｅ内には前半部分の係合部７５ａが挿入される。ロック部材７５の後半部分の嵌合部７５ｂは、溝部７２ｅの開口側からワイヤ２８側に突出する。
図１０は、（ａ）でロック部材７５の形状を側面視して示し、（ｂ）で溝部７２ｅ付近のセレクトジャック７２の部分的な形状を側面視して示す。図１０（ａ）に示すように、ロック部材７５には、先端側が二又状で基端側で上下幅が狭くなる前半部分の係合部７５ａと、幅が狭くなる係合部７５ａの基端側に連なる後半部分の嵌合部７５ｂとを有する。図１０（ｂ）に示すように、セレクトジャック７２の溝部７２ｅは、大略的にＵ字状で、開口部７２ｆの間隔が狭くなる形状を有する。溝部７２ｅは、開口部２７ｆと、開口部７２ｆの幅よりも大きい、一定の幅を有する平行部７２ｇと、平行部７２ｇに続いて間隔が狭くなるように傾斜している傾斜部７２ｈとを有する。
本実施形態のロック部材７５は、係合部７５ａの二又状になっている先端側に溝部７２ｅの傾斜部７２ｈに沿って曲ろうとするときに弾発力を受け、溝部７２ｅから外方に突出する方向の付勢を受ける。すなわち、ロック部材７５自体の形状が、溝部７２ｅの傾斜部７２ｈと協働して、嵌合部７５ｂが突出して図１０（ｂ）に示すようなロック状態となるように変位することを可能にしている。なお、セレクトジャック７２およびロック部材７５は、ニードルプレート３４間に形成される針溝３５内に収容され、板厚方向は両側からニードルプレート３４で挟まれるので、針溝３５の幅と厚みとの差が大きすぎなければ、板厚方向に脱落することはない。ロック部材７５の係合部７５ａは、セレクトジャック７２の溝部７２ｅの開口部７２ｆよりも幅が大きいので、溝部７２ｅから開口部７２ｆ側に抜け出すことが規制される。
図１１は、本発明の実施の第３形態である横編機の選針装置の概略的な断面構成を示す。本実施形態の選針装置８１でも、セレクトジャック８２を編成動作が不作用となる初期位置の押圧状態を保持するようにロックすることができる。図１１（ａ）はセレクトジャック８２が初期位置にある非押圧状態を示し、図１１（ｂ）はセレクトジャック８２の押圧状態を示す。選針装置８１は、セレクトジャック８２を移動させるセレクタ８３を有する。セレクタ８３は、複数のバット８３ａ，８３ｂ，８３ｃを有し、セレクタカム２４がバット８３ａ，８３ｂ，８３ｃに作用してセレクタ８３を駆動する動作は、基本的に図１の選針装置２１と同様である。また図９の実施形態と同様に、セレクタ８３は、先端部８３ｄがセレクトジャック８２を、そのバット８２ａに当接して前進させることができ、後端側には接極部８３ｅが形成され、セレクタカム２４がバット８３ｃを押圧すると、選針アクチュエータ２５に当接して、磁気的に吸引される。セレクトジャック８２がワイヤ２９と係合して位置決めを行う凹部８２ｂ，８２ｃ，８２ｄを有することも、図１の選針装置２１と同様である。
本実施形態のニードルプレート８４には、セレクトジャック８２が初期位置にあるときのワイヤ２８とバット８２ａとの間で針溝８５の壁面となる位置に、係止凹所８６が形成される。セレクトジャック８２側には、ロック部材としての板ばね８８が装着される装着凹所８２ｅが形成される。
図１２は、板ばね８８の形状を示す。図１２（ａ）は平面視、図１２（ｂ）は側面視した状態をそれぞれ示す。図１２（ａ）の平面視状態では、セレクトジャック８２も仮想線で示す。板ばね８８は、折曲げられている先端部８８ａと、平坦な基端部８８ｂとを有する。基端部８８ｂは、セレクトジャック８２の装着凹所８２ｅに装着され、外力が作用しない状態では、先端部８８ａが装着凹所８２ｅからセレクトジャック８２の側方に突出する。針溝８５内では、係止凹所８６が形成されている部分を除いて、壁面となるニードルプレート８４の側面で押圧され、先端部８８ａは装着凹所８２ｅ内に押込められる。
図１１（ｂ）に示すように、ニードルジャック８２のバット８２ａがキャリッジ３３側から押圧されると、板ばね８８の先端部８８ａがニードルプレート８４の側面と係止凹所８６との段差に係合することでロック状態を保持する。係止凹所８６は、無負荷状態の板ばね８８の先端部８８ａを受け入れるに足るスペースを有している。しかし、セレクトジャック８２は、ロックされない他の位置では針溝８５内で必要以上の摺動負荷を受けることなく自由に動ける必要がある。セレクタ８３をタック位置やニット位置に移動させれば、板ばね８８の先端部８８ａは係止凹所８６の段差部分から離脱し、ロック状態は解除される。先端部８８ａがニードルプレート８４の側面で押圧されてセレクトジャック８２の装着凹所８２ｅ内に押込められると、セレクトジャック８２は、針溝８５内で自由に移動させることができる。また、ロック状態が解除されていると、図１２（ａ）に示すようにセレクタジャック８２が初期位置のウェルト位置に戻されるだけでは、ロック状態とはならない。
本発明は、その精神または主要な特徴から逸脱することなく、他のいろいろな形態で実施できる。従って、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【産業上の利用可能性】  以上のように本発明によれば、セレクタによって針溝内を移動するセレクトジャックの初期位置を不作用の編成動作に対応させ、セレクトジャックをキャリッジ側から押圧すれば、初期位置のセレクトジャックの予め定める近傍に間隔をあけて形成される係止部との間の間隙にロック部材が嵌合し、係止部との間でセレクトジャックの押圧状態を保持することができる。したがって選針位置のロック状態を、セレクトジャックの進退移動を行わないでも実現することができる。セレクトジャックの押圧状態が保持される間は、編針のバットはキャリッジのカム機構から離脱しているので、編成作用を不作用にすることができる。セレクタでセレクトジャックの位置を、不作用に対応する位置と異なる位置に移動させれば、ロック部材は間隔から離脱してセレクトジャックの押圧状態の保持を解除するので、編成作用に応じてセレクトジャックをキャリッジ側に設けるプレッサで押圧して、編針のバットに対するカム機構の作用を制御することができる。ロック部材は編針の不作用の位置がセレクトジャックの初期位置であるので、キャリッジのカム機構が編針を通過する間に連続して不作用であれば、セレクタやセレクトジャックを移動させる必要はなく、移動に伴う摩耗や損傷の低減や、動力費の節減を図ることができる。
また本発明によれば、各針溝内でセレクトジャックのキャリッジ側に当接してセレクトジャックを針溝内に留める貫通部材を係止部として利用し、セレクトジャックをキャリッジ側から押圧して、貫通部材との間に形成される間隙に、ばね付勢されるロック部材を嵌合させ、セレクトジャックに対するキャリッジ側からの押圧状態を、係止部からロック部材を介する押圧状態に受継いで保持することができる。セレクトジャックを不作用に対応する初期位置から、他の編成作用に対応する位置に移動させると、ロック部材を間隙から離脱させ、押圧状態の保持を解除して、編成作用に応じるセレクトジャックの押圧による編針の制御を行うことができる。
また本発明によれば、セレクトジャックは、初期位置で貫通部材に臨む近傍に、厚みが板厚方向の両側で薄くなる薄肉部を有し、ロック部材の二又状の係合部が薄肉部を厚み方向の両側から挟み、ロック部材の嵌合部が貫通部材とセレクトジャックのキャリッジ側との間隙に進入可能でるので、針溝内のセレクトジャックと貫通部材との間の小さな空間に、ロック部材を配置することができる。セレクトジャックの薄肉部とロック部材の係合部との間には、ロック部材が嵌合部を間隙に進入させるように付勢するばねを有するので、セレクトジャックが初期位置でキャリッジ側から押圧されれば、ロック部材の嵌合部を間隙に進入させて、押圧状態を保持することができる。
また本発明によれば、セレクトジャックには、大略的にＵ字状で、開口部の間隔が狭くなる形状の切込み部を、初期位置で貫通部材に臨む近傍に開口するように有する。ロック部材は、切込み部内に挿入されて、切込み部の両側から押圧され、貫通部材側に付勢される二又状の係合部と、貫通部材とセレクトジャックのキャリッジ側との間隙に進入可能な嵌合部とを有するので、初期位置でキャリッジ側から押圧されれば、ロック部材の嵌合部を間隙に進入させて、押圧状態を保持することができる。
また本発明によれば、各針溝内でセレクトジャックの側方には係止部となる凹所が形成され、ロック部材はセレクトジャックの側面に設けられ、側方に突出するように付勢されてその凹所に嵌り込み、セレクトジャックのキャリッジ側への変位を阻止する先端部を有する板ばねであるので、押圧状態の保持を行うことができる。セレクトジャックが初期位置と異なる位置に移動すれば、押圧状態の保持を解除して、編成作用に応じるセレクトジャックの押圧による編針の制御を行うことができる。
また本発明によれば、キャリッジのカム機構は、カム機構が編針のバットに作用して複数の編成動作を選択的に行うのに先行して、バットがカム機構から離脱していない編針を引込む機能を備えるので、シンカー装置と連動して、編目を引締めるための先行引き込みなどを行わせることができる。不作用の位置に設定される編針は、セレクトジャックがロック部材によって押圧状態を保つので、押圧状態が解除されるまでは、編針のバットがカム機構から離脱している状態を保ち、先行引き込みなどが行われないようにすることができる。不作用のはずの編針の上をキャリッジのカム機構が通過するたびに、編糸が編針でしごかれて、糸痩せや糸切れの原因になるなど、編成上、編糸に対して好ましくない影響を与えてしまうことを避けることができる。
【図１】
2004003275.tif 000003
【図２】
2004003275.tif 000004
【図３】
2004003275.tif 000005
【図４】
2004003275.tif 000006
【図５】
2004003275.tif 000007
【図６】
2004003275.tif 000008
【図７】
2004003275.tif 000009
【図８】
2004003275.tif 000010
【図９】
2004003275.tif 000011
【図１０】
2004003275.tif 000012
【図１１】
2004003275.tif 000013
【図１２】
2004003275.tif 000014
【図１３】
2004003275.tif 000015
【国際調査報告】
2004003275.tif 000016
2004003275.tif 000017
2004003275.tif 000018